(57)【要約】【課題】  低価格な車載用オーディオ装置を提供すること。【解決手段】  車載用オーディオ装置１は、車両のダッシュボード２上に設置可能な筐体１１と、筐体１１内に配置され音声信号を再生するＡＭ／ＦＭチューナ１７又はＣＤ再生部１８と、筐体１１内に配置されＡＭ／ＦＭチューナ１７又はＣＤ再生部１８と結線されておりＡＭ／ＦＭチューナ１７又はＣＤ再生部１８により再生された音声信号に従って音を出力するスピーカ１３、１４とを備える。【選択図】  図１
2010036713.tif 000002
【特許請求の範囲】
【請求項１】
車両のダッシュボード上に設置可能な筐体と、
前記筐体内に配置され、音声信号を再生する再生部と、
前記筐体内に配置され、前記再生部と結線されており、前記再生部により再生された音声信号に従って音を出力するスピーカとを備える、車載用オーディオ装置。
【請求項２】
前記スピーカは、車両のフロントガラスに向けて配置されている、請求項１に記載の車載用オーディオ装置。
【請求項３】
筐体には孔が形成されている、請求項１に記載の車載用オーディオ装置。
【請求項４】
再生部は、孔が形成された蓋の開閉により出し入れされたディスクに記録された音声情報を音声信号として再生する、請求項１に記載の車載用オーディオ装置。
【請求項５】
前記筐体内に配置され、電波を受信するアンテナをさらに備え、
再生部は、アンテナを介して受信した電波を受信し、音声信号として再生する、請求項１に記載の車載用オーディオ装置。
【請求項６】
少なくとも再生部に電力を供給する太陽電池又は蓄電池をさらに備える、請求項１に記載の車載用オーディオ装置。
【発明の詳細な説明】
【技術分野】
【０００１】
本発明は、車載用オーディオ装置に関する。
【背景技術】
【０００２】
近年、いわゆる新興国（エマージングカントリー）において、例えば３０万円を切るような超低価格車が製造・販売されている。このような種類の車両の中には、コスト削減のため、車載用オーディオ装置が付いていないものもある。
【０００３】
このような種類の車両にも車載用オーディオ装置を搭載したいという需要も出てくると予想される。しかしながら、車両自体が低価格であるため、車載用オーディオ装置も低価格化であることが要求されると想定される。
【０００４】
従来、車載用オーディオ装置は、ダッシュボード内に組み込まれ、例えばドアのように、車載用オーディオ装置とは別の位置に組み込まれたスピーカと配線で接続されていた（例えば、特許文献１を参照）。
【特許文献１】特開２００２−５７５８８号公報
【発明の開示】
【発明が解決しようとする課題】
【０００５】
しかしながら、従来の車載用オーディオ装置では、スピーカとの配線が必要であったり、車載用オーディオ装置及びスピーカを別々の位置に取り付けたりすることが必要になったりすることで、低価格化が困難であるという問題点があった。
【０００６】
それ故に、本発明は、低価格な車載用オーディオ装置を提供することを目的とする。
【課題を解決するための手段】
【０００７】
上記目的を達成するために、本発明の一局面は、車載用オーディオ装置であって、車両のダッシュボード上に設置可能な筐体と、筐体内に配置され、出力すべき音声信号を再生する再生部と、筐体内に配置され、再生部と結線されており、再生部により再生された音声信号に従って音を出力するスピーカとを備える。
【発明の効果】
【０００８】
上記車載用オーディオ装置によれば、再生部とスピーカとは同一筐体に収容され、さらに、再生部とスピーカとは筐体内で予め接続されている。したがって、車両内にスピーカの配線を敷設する必要がなく、再生部とスピーカとを別々の位置に取り付ける必要もなくなるため、低価格の車載用オーディオ装置を提供することが可能となる。
【発明を実施するための最良の形態】
【０００９】
図１は、本発明の一実施形態に係る車載用オーディオ装置１及びその周辺の斜視図である。また、図２は、図１に示す車載用オーディオ装置１を拡大した斜視図である。図１及び図２において、車載用オーディオ装置１は、ダッシュボード２の上面中央に設置可能に設計される。この車載用オーディオ装置１は、外部から視認できる構成として、筐体１１と、蓋１２と、左側スピーカ１３と、右側スピーカ１４と、ユーザインターフェース１５とを備えている。
【００１０】
筐体１１は、好ましくはダッシュボード２と同じ材質からなり、図４を参照して後述する構成を収容する。
【００１１】
蓋１２は、図３に示すように、回転軸ａを中心として開閉し、例えばＣＤ（Ｃｏｍｐａｃｔ  Ｄｉｓｃ）の出し入れの際に用いられる。蓋１２を開けることで、ユーザは、ＣＤを出し入れ可能になる。
【００１２】
再度、図１及び図２を参照する。左側スピーカ１３及び右側スピーカ１４は、好ましくは、車両のフロントウィンドウ３（図１に示す）に向けられるよう、車載用オーディオ装置１に取り付けられる。このように取り付けることで、両スピーカ１３及び１４からの音は、フロントウィンドウ３に向けて出力され、フロントウィンドウ３に反射させることが可能となる。このような反射音は車内空間に拡がり、車両内の運転者及び同乗者に届く。
【００１３】
ユーザインターフェース１５は、図２に示すように、車載用オーディオ装置１の前面に配置される。ユーザインターフェース１５としては、車載用オーディオ装置１の前面両サイドに配置され、様々な機能が割り当てられたスイッチ、キー又はボタンと、前面中央部に配置された表示パネルとが含まれる。
【００１４】
例えば、３状態スイッチは、ＣＤ再生オン、電源オフ及びラジオ再生オンという３つの状態を切り替える。他にも、ＡＭ／ＦＭ放送の切り替えボタン及び選局キー、ＣＤの再生ボタン、一時停止ボタン及び停止ボタン、並びに音量のアップダウンキーがユーザインターフェース１５には含まれる。
【００１５】
また、表示パネルは、図２に示すように、車載用オーディオ装置１の前面中央に配置され、各種情報を表示する。これによって、表示パネルは、車両の運転者又は同乗者に各種情報を提供する。表示情報としては、例えば、現在選局されている放送局の周波数、及び現在再生中のＣＤのトラックナンバーや曲名がある。
【００１６】
ここで、図４は、図１に示す車載用オーディオ装置１の内部構成を示すブロック図である。図４において、車載用オーディオ装置１は、蓋１２、左側スピーカ１３、右側スピーカ１４、ユーザインターフェース１５以外にも、筐体２内に、アンテナ１６と、ＡＭ／ＦＭチューナ１７と、ＣＤ再生部１８と、スピーカ用アンプ１９とを備えている。
【００１７】
アンテナ１６は、好ましくは、ＡＭ／ＦＭ共用のフィルムアンテナであって、図５に示すように、筐体内又は筐体上に設けられる。
【００１８】
ＡＭ／ＦＭチューナ１７は、３状態スイッチがラジオ再生オンの際に能動化し、運転者又は同乗者がユーザインターフェース１５を操作することで指定された周波数の電波をアンテナ１６を介して受信し、音声信号として再生する。再生された音声信号は、音量調整用の可変抵抗２０を介してスピーカ用アンプ１９に出力される。
【００１９】
ＣＤ再生部１８は、ピックアップ、ターンテーブル、前置アンプ、ＤＳＰ及び駆動用モータを含んでおり、３状態スイッチがＣＤ再生オンの際に能動化する。ＣＤ再生部１８は、セットされたＣＤから音声情報を読み出し、音声信号として再生する。再生された音声信号は、上記同様、可変抵抗２０を介してスピーカ用アンプ１９に出力される。
【００２０】
スピーカ用アンプ１９は、入力された音声信号を増幅して、左側スピーカ１３及び右側スピーカ１４に出力する。
【００２１】
左側スピーカ１３及び右側スピーカ１４はそれぞれスピーカ用アンプ１９に結線されており、スピーカ用アンプ１９から出力された音声信号に従って音を出力する。
【００２２】
以上のように構成された車載用オーディオ装置１によれば、ＡＭ／ＦＭチューナ１７及びＣＤ再生部１８のような音声信号の再生部と、左側スピーカ１３及び右側スピーカ１４は同一筐体に収容される。また、ＡＭ／ＦＭチューナ１７及びＣＤ再生部１８と、左側スピーカ１３及び右側スピーカ１４とは、可変抵抗２０及びスピーカ用アンプ１９とスピーカとは筐体内で接続されている。したがって、両スピーカ１２及び１３用の配線を車両内に敷設する必要がなく、ＡＭ／ＦＭチューナ１７及びＣＤ再生部１８と両スピーカ１２及び１３とを別々の位置に取り付ける必要もなくなるため、低価格の車載用オーディオ装置１を提供することが可能となる。
【００２３】
なお、ダッシュボード２周辺は非常に高温になるため、図６に示すように、蓋１２や筐体１１に換気や通気のための孔やスリット２１を設けることが好ましい。
【００２４】
また、ダッシュボード２には太陽光が当たりやすいので、図７に示すように、蓋１２や筐体にソーラーパネル（太陽電池）２２を貼り付け、そこで得られた電力を使って車載用オーディオ装置１を動作させても構わない。他にも、車載用オーディオ装置１内に蓄電池を取り付け、そこで得られた電力を使って車載用オーディオ装置１を動作させても構わない。
【産業上の利用可能性】
【００２５】
本発明に係る車載用オーディオ装置は、低価格が要求される車両に設置することが好適である。
【図面の簡単な説明】
【００２６】
【図１】本発明の一実施形態に係る車載用オーディオ装置１及びその周辺の斜視図
【図２】図１に示す車載用オーディオ装置１のみを拡大した斜視図
【図３】図１に示す車載用オーディオ装置１を横方向から見たときの図
【図４】図１に示す車載用オーディオ装置１の内部構成を示すブロック図
【図５】図４に示すアンテナ１６の配置を示す図
【図６】図１に示す蓋１２の第１の代替例を示す図
【図７】図１に示す蓋１２の第２の代替例を示す図
【符号の説明】
【００２７】
１  車載用オーディオ装置
１１  筐体
１２  蓋
１３  左用スピーカ
１４  右用スピーカ
１５  ユーザインターフェース
１６  アンテナ
１７  ＡＭ／ＦＭチューナ
１８  ＣＤ再生部
１９  スピーカ用アンプ
２０  可変抵抗
２１  孔，スリット
２２  太陽電池
２  ダッシュボード
３  フロントウィンドウ
【図１】
2010036713.tif 000003
【図２】
2010036713.tif 000004
【図３】
2010036713.tif 000005
【図４】
2010036713.tif 000006
【図５】
2010036713.tif 000007
【図６】
2010036713.tif 000008
【図７】
2010036713.tif 000009